(57)【要約】【課題】迅速な波長切替、方路切替、又はこれらを組み合わせた切替の通知ができ、且つ光アクセスネットワークの既設ＯＮＵとの共存が可能な光通信システム、ＯＬＴ、ＯＮＵ、及び光通信方法を提供することを目的とする。【解決手段】本光通信方法は、ＯＬＴが、波長分割多重且つ時分割多重で下り信号光を送信する際の該下り信号光で伝送するフレームのプリアンブルのＬＬＩＤ又は上り信号光の送信許可を通知するゲートメッセージのＬＬＩＤの選択により、下り信号光で伝送するフレーム又はゲートメッセージの宛先ＯＮＵ及びこれに対する波長切替に関する指示を通知する。ＯＮＵは、ＯＬＴから送信された信号光で伝送するフレームのプリアンブルに埋め込まれたＬＬＩＤ又はゲートメッセージ中のＬＬＩＤを確認し、ＬＬＩＤの指定する宛先ＯＮＵが自装置である場合に、ＬＬＩＤの使い分けによる波長切替に関する指示に従う波長で信号光を送受信する。【選択図】図１
2011147023.tif 000002
【特許請求の範囲】
【請求項１】
局側光送受信回路を備える局側装置と加入者側光送受信回路を備える加入者側装置が光伝送路を介して接続され、前記局側光送受信回路と前記加入者側光送受信回路との間で波長分割多重且つ時分割多重、芯線多重且つ時分割多重、又は波長分割多重、芯線多重且つ時分割多重で光信号を伝搬する光通信システムであって、
前記光アクセスネットワークの通信状態を監視し、前記通信状態に応じて前記加入者側装置に割り振る波長、方路、又は波長と方路の組合せを制御する制御回路を備え、
前記局側装置は、
前記制御回路からの制御に基づき、
前記局側装置から前記加入者側装置への下り信号光の宛先加入者側装置を示す値、又は前記加入者側装置から前記局側装置への上り信号光の送信許可を前記加入者側装置への通知で宛先加入者側装置を示す値で、信号光の宛先加入者側装置及び前記宛先加入者側装置に対する波長、方路、又は波長と方路の組合せの切替に関する切替指示を前記加入者側装置に通知し、
前記加入者側装置は、
前記局側装置から送信された信号光の宛先加入者側装置を示す値又は前記加入者側装置から前記局側装置への上り信号光の送信許可を前記加入者側装置への通知で宛先加入者側装置を示す値を確認し、該値が指定する宛先加入者側装置が自装置である場合に、該値で通知される前記切替指示に従い、波長、方路、又は波長と方路の組合せを切り替えて信号光を送受信することを特徴とする光通信システム。
【請求項２】
前記切替指示が波長、方路、又は波長と方路の組合せの指定であり、
前記加入者側装置は、現波長、方路、又は波長と方路の組合せから前記切替指示が指定する波長、方路、又は波長と方路の組合せへ直接切り替えることを特徴とする請求項１に記載の光通信システム。
【請求項３】
前記切替指示が波長、方路、又は波長と方路の組合せを切り替える命令であり、
前記加入者側装置は、波長、方路、又は波長と方路の組合せを予め設定された順に切り替えることを特徴とする請求項１に記載の光通信システム。
【請求項４】
請求項１から３のいずれかに記載の光通信システムが備える局側装置であって、
前記加入者側装置への下り信号光の宛先加入者側装置を示す値、又は前記加入者側装置からの上り信号光の送信許可を前記加入者側装置への通知で宛先加入者側装置を示す値で、信号光の宛先加入者側装置及び前記宛先加入者側装置に対する波長、方路、又は波長と方路の組合せの切替に関する切替指示を前記加入者側装置に通知し、
前記光アクセスネットワークの通信状態に応じて前記加入者側装置に割り振る波長、方路、又は波長と方路の組合せの切替の制御を受けたときに、該値を用いて、波長、方路、又は波長と方路の組合せの切替対象である前記加入者側装置に対して前記切替指示を通知することを特徴とする局側装置。
【請求項５】
請求項１から３のいずれかに記載の光通信システムが備える加入者側装置であって、
信号光の宛先加入者側装置及び前記宛先加入者側装置に対する波長、方路、又は波長と方路の組合せの切替に関する切替指示が表現された、前記局側装置からの下り信号光の宛先加入者側装置を示す値、又は前記局側装置への上り信号光の送信許可を通知で宛先加入者側装置を示す値を確認し、該値が指定する宛先加入者側装置が自装置である場合に、該値で通知される前記切替指示に従い、波長、方路、又は波長と方路の組合せを切り替えて信号光を送受信することを特徴とする加入者側装置。
【請求項６】
局側光送受信回路を備える局側装置と加入者側光送受信回路を備える加入者側装置が光伝送路を介して接続され、前記局側光送受信回路と前記加入者側光送受信回路との間で波長分割多重且つ時分割多重、芯線多重且つ時分割多重、又は波長分割多重、芯線多重且つ時分割多重で光信号を伝搬する光通信システムの光通信方法であって、
前記光アクセスネットワークの通信状態を監視し、前記通信状態に応じて前記加入者側装置に割り振る波長、方路、又は波長と方路の組合せを制御する際に、
前記局側装置から前記加入者側装置へ、
前記局側装置から前記加入者側装置への下り信号光の宛先加入者側装置を示す値、又は前記加入者側装置から前記局側装置への上り信号光の送信許可を前記加入者側装置へ通知で宛先加入者側装置を示す値で、信号光の宛先加入者側装置及び前記宛先加入者側装置に対する波長、方路、又は波長と方路の組合せの切替に関する切替指示を通知し、
前記加入者側装置において、
前記局側装置から送信された信号光の宛先加入者側装置を示す値又は前記加入者側装置から前記局側装置への上り信号光の送信許可を前記加入者側装置へ通知で宛先加入者側装置を示す値を確認し、該値が指定する宛先加入者側装置が自装置である場合に、該値で通知される前記切替指示に従い、波長、方路、又は波長と方路の組合せを切り替えて信号光を送受信することを特徴とする光通信方法。
【請求項７】
前記切替指示が波長、方路、又は波長と方路の組合せの指定であり、
前記加入者側装置において、現波長、方路、又は波長と方路の組合せから前記切替指示が指定する波長、方路、又は波長と方路の組合せへ直接切り替えることを特徴とする請求項６に記載の光通信方法。
【請求項８】
前記切替指示が波長、方路、又は波長と方路の組合せを切り替える命令であり、
前記加入者側装置において、波長、方路、又は波長と方路の組合せを予め設定された順に切り替えることを特徴とする請求項６に記載の光通信方法。
【発明の詳細な説明】
【技術分野】
【０００１】
本発明は、光アクセスネットワークの光通信システム、局側装置、加入者側装置、及び光通信方法に関する。
【背景技術】
【０００２】
インターネットやイントラネットの急成長を背景に，大容量通信の需要が高まっており，高速光通信システムの普及が急ピッチで進んでいる中、経済的な高速の光アクセスネットワークを実現するためのシステムとして、ＰＯＮ（Ｐａｓｓｉｖｅ  Ｏｐｔｉｃａｌ  Ｎｅｔｗｏｒｋ）が知られている。また、ＰＯＮに用いる受動素子（光スプリッタ等）の代わりに、光スイッチを備える光アクセスネットワークも多くの提案がなされている（例えば、非特許文献３及び４を参照。）。
【０００３】
高速アクセスネットワークで従来用いられている安価なＳｉＧｅ−ＢｉＣＭＯＳプロセスを利用して強度変調−直接検波で時分割多重（ＴＤＭ：Ｔｉｍｅ  Ｄｉｖｉｓｉｏｎ  Ｍｕｌｔｉｐｌｅｘｉｎｇ）技術を上述の光アクセスネットワークに適用することを想定すると、電子デバイスの制約により１０Ｇｂｉｔ／ｓが上限と考えられている。
【０００４】
そこで、波長分割多重（ＷＤＭ：Ｗａｖｅｌｅｎｇｔｈ  Ｄｉｖｉｓｉｏｎ  Ｍｕｌｔｉｐｌｅｘｉｎｇ）や芯線多重を適用することで更なる高速化／広帯域化を実現する提案もなされている。しかし、ユーザ毎に異なる波長を用いるＷＤＭを適用すると、局側装置であるＯＬＴ（Ｏｐｔｉｃａｌ  Ｌｉｎｅ  Ｔｅｒｍｉｎａｌ）には加入者側装置であるＯＮＵ（Ｏｐｔｉｃａｌ  Ｎｅｔｗｏｒｋ  Ｕｎｉｔ）の数に応じた光送受信機が必要となる。これは既存のＯＮＵやＯＬＴの更改を要し、コスト上昇という課題が発生する。一方、芯線多重も、方路である芯線分だけ光送光受信機と方路が必要になるため、コスト上昇という課題が発生する。
【０００５】
この課題に対しては、ＯＮＵ毎に異なる波長を用いる代わりに、ＯＮＵを複数のグループにグルーピングし、グループ間でＷＤＭとグループ内でＴＤＭを適用するＷＤＭ／ＴＤＭ−ＰＯＮ（例えば、非特許文献１を参照。）がある。これは、波長を複数のＯＮＵで共用することで、総帯域拡張に伴うコスト上昇を抑えている。
【０００６】
総帯域拡張のために新規の芯線と送受信機を備える代わりに、冗長構成のための予備芯線を現用方路として利用する方式（例えば、非特許文献２を参照。）がある。この方式は、冗長方路を活用することで、総帯域拡張に伴うコスト上昇という課題を解決している。
【０００７】
さらに、１Ｇｂｉｔ／ｓで光ファイバのアクセス区間通信を実現する１Ｇ−ＥＰＯＮ（Ｅｔｈｅｒｎｅｔ（登録商標）  Ｐａｓｓｉｖｅ  Ｏｐｔｉｃａｌ  Ｎｅｔｗｏｒｋ）システムが知られている（非特許文献５を参照。）。
【０００８】
非特許文献１や非特許文献２や非特許化文献５に記載されるＰＯＮシステム、非特許文献３や非特許文献４に記載される光スイッチアクセスネットワークで波長分割多重又は芯線多重を実現するためには、ＯＮＵが通信で使用する波長又は方路をＯＬＴが割り振り、これをＯＮＵに通知する手段が必要である。
【０００９】
ＯＮＵに通知する手段としては、以下の３つが知られている。
（１）ＭＰＣＰ（ｍｕｌｔｉ−ｐｏｉｎｔ  Ｃｏｎｔｒｏｌ  Ｐｒｏｔｏｃｏｌ）のゲートフレームを拡張して通知する手段、
（２）ベンダ毎にメッセージ内容を定義できる拡張ＯＡＭ（Ｏｐｅｒａｔｉｏｎ，  Ａｄｍｉｎｉｓｔｒａｔｉｏｎ，  Ｍａｉｎｔｅｎａｎｃｅ）フレームを利用する手段、
（３）ＩＥＥＥ  ８０２．３ａｖ／Ｄ３．２．１で定義された拡張ＭＡＣ（Ｍｅｄｉａ  Ａｃｃｅｓｓ  Ｃｏｎｔｒｏｌ）メッセージを用いる等、新たに波長又は方路の通知用のフレームを定義して利用する手段
【先行技術文献】
【非特許文献】
【００１０】
【非特許文献１】「総帯域拡張型ＷＤＭ／ＴＤＭ−ＰＯＮと動的波長帯域割当の一提案」、吉野學、原一貴、中村浩崇、木村俊二、吉本直人、雲崎清美、２００９年電子情報通信学会総合大会、通信講演論文集２、ｐ．４２６、Ｂ−１０−１０７
【非特許文献２】「ＡＴＭ−ＰＯＮのプロテクション方式及び動的帯域割当との連携動作の検討」、吉田俊和、向井宏明、岩崎充佳、浅芝慶弘、一番ケ瀬広、横谷哲也、２００１年５月ＣＳ方式研究会電子情報通信学会技術研究報告ｖｏｌ．１０１（５３）：ＣＳ２００１−２１，ｐｐ．２５−３０
【非特許文献３】「光パケットスイッチを適用したアクセスネットワークにおける効率的なディスカバリ方法の提案」、上田裕巳、坪井利憲、河西宏之、２００９年４月ＣＳ方式研究会電子情報通信学会技術研究報告Ｖｏｌ．１０９（４）：ＣＳ２００９−１２，ｐｐ．６９−７４
【非特許文献４】「アクティブ光スイッチを用いた光アクセス網の一検討」、徳橋和将、菊田洸、石井大介、荒川豊、岡本聡、山中直明、２００８年８月ＰＮ研究会電子情報通信学会技術研究報告Ｖｏｌ．１０８（１８３）：ＰＮ２００８−２２  ｐｐ．４９−５３、ｈｔｔｐ：／／ｂｉｂｌｉｏ．ｙａｍａｎａｋａ．ｉｃｓ．ｋｅｉｏ．ａｃ．ｊｐ／ｆｉｌｅ／ＰＮ＿２００８０８＿ｔｏｋｕｈａｓｈｉ．ｐｄｆ、２００９年１１月３０日検索。）
【非特許文献５】「１Ｇ／１０ＧデュアルレートＥＰＯＮに適した動的帯域割当方法〜要求量しきい値の更新をソフトウエア処理により実現する方法〜」村山大輔、太田憲行、鈴木謙一、三鬼準基、吉本直人、雲崎清美、２００９年７月ＣＳ方式研究会電子情報通信学会技術研究報告ＣＳ２００９−３２，ｐｐ．１１５−１２０
【非特許文献６】「技術基礎講座（ＧＥ−ＰＯＮ技術）、第２回  ＩＥＥＥ８０２．３ａｈ標準規格」ＮＴＴ技術ジャーナル２００５年９月発行
【発明の概要】
【発明が解決しようとする課題】
【００１１】
しかし、上述の（１）の手段は、既設のＯＮＵで新しく定義されたゲートフレームを受信することができず、既設のＯＮＵの誤動作を防止しなければならない。また、上述の（２）と（３）の手段は、既設のＯＮＵへの影響は無視できるが、波長又は方路の通知する間隔が秒オーダと長くなり、迅速な波長切替又は方路切替が困難である（例えば、非特許文献５を参照。）。このため、既存の１Ｇ／１０Ｇ−ＥＰＯＮ等の既設のＯＮＵを更改することなくかつ支障を与えず、ＷＤＭ／ＴＤＭ−ＰＯＮや冗長構成のための予備方路を現用方路としても利用する方式を適用することが困難という課題があった。
【００１２】
そこで、本発明は、迅速な波長切替、方路切替、又はこれらを組み合わせた切替の通知ができ、且つ光アクセスネットワークの既設ＯＮＵとの共存が可能な光通信システム、ＯＬＴ、ＯＮＵ、及び光通信方法を提供することを目的とする。
【課題を解決するための手段】
【００１３】
上記目的を達成するために、本発明に係る光通信システム、ＯＬＴ、ＯＮＵ、及び光通信方法は、ＬＬＩＤ（Ｌｏｇｉｃａｌ  Ｌｉｎｋ  ＩＤｅｎｔｉｆｉｅｒ）を用いて、ＯＬＴからＯＮＵに対して使用可能な波長又は使用可能な方路を通知することとした。なお、以下の説明において、「ＬＬＩＤの値で、信号光の宛先加入者装置及び前記宛先加入者装置に対する波長、方路、又は波長と方路の組合せの切替に関する切替指示を表現」することを「ＬＬＩＤの使い分け」と記載することがある。
【００１４】
具体的には、本発明は、局側光送受信回路を備えるＯＬＴと加入者側光送受信回路を備えるＯＮＵが光伝送路を介して接続され、前記局側光送受信回路と前記加入者側光送受信回路との間で波長分割多重且つ時分割多重、芯線多重且つ時分割多重、又は波長分割多重、芯線多重且つ時分割多重で光信号を伝搬する光通信システムであって、前記光アクセスネットワークの通信状態を監視し、前記通信状態に応じて前記ＯＮＵに割り振る波長、方路、又は波長と方路の組合せを制御する制御回路を備え、前記ＯＬＴは、前記制御回路からの制御に基づき、前記ＯＬＴから前記ＯＮＵへの下り信号光の宛先ＯＮＵを示す値、又は前記ＯＮＵから前記ＯＬＴへの上り信号光の送信許可を前記ＯＮＵへ通知するメッセージで宛先ＯＮＵを示す値で、信号光の宛先ＯＮＵ及び前記宛先ＯＮＵに対する波長、方路、又は波長と方路の組合せの切替に関する切替指示を前記ＯＮＵに通知し、前記ＯＮＵは、前記ＯＬＴから送信された信号光の宛先ＯＮＵを示す値又は前記ＯＮＵから前記ＯＬＴへの上り信号光の送信許可を前記ＯＮＵへ通知するメッセージで宛先ＯＮＵを示す値を確認し、該値が指定する宛先ＯＮＵが自装置である場合に、該値で通知される前記切替指示に従い、波長、方路、又は波長と方路の組合せを切り替えて信号光を送受信することを特徴とする。
【００１５】
本発明に係る光通信システムは、前記切替指示が波長、方路、又は波長と方路の組合せの指定であり、前記ＯＮＵは、現波長、方路、又は波長と方路の組合せから前記切替指示が指定する波長、方路、又は波長と方路の組合せへ直接切り替えることを特徴とする。
【００１６】
本発明に係る光通信システムは、前記切替指示が波長、方路、又は波長と方路の組合せを切り替える命令であり、前記ＯＮＵは、波長、方路、又は波長と方路の組合せを予め設定された順に切り替えることを特徴とする。
【００１７】
本発明は、前記光通信システムが備えるＯＬＴであって、前記ＯＮＵへの下り信号光の宛先ＯＮＵを示す値、又は前記ＯＮＵからの上り信号光の送信許可を前記ＯＮＵへ通知するメッセージで宛先ＯＮＵを示す値で、信号光の宛先ＯＮＵ及び前記宛先ＯＮＵに対する波長、方路、又は波長と方路の組合せの切替に関する切替指示を前記ＯＮＵに通知し、前記光アクセスネットワークの通信状態に応じて前記ＯＮＵに割り振る波長、方路、又は波長と方路の組合せの切替の制御を受けたときに、該値を用いて、波長、方路、又は波長と方路の組合せの切替対象である前記ＯＮＵに対して前記切替指示を通知することを特徴とする。
【００１８】
本発明は、前記光通信システムが備えるＯＮＵであって、信号光の宛先ＯＮＵ及び前記宛先ＯＮＵに対する波長、方路、又は波長と方路の組合せの切替に関する切替指示が表現された、前記ＯＬＴからの下り信号光の宛先ＯＮＵを示す値、又は前記ＯＬＴへの上り信号光の送信許可を通知するメッセージで宛先ＯＮＵを示す値を確認し、該値が指定する宛先ＯＮＵが自装置である場合に、該値で通知される前記切替指示に従い、波長、方路、又は波長と方路の組合せを切り替えて信号光を送受信することを特徴とする。
【００１９】
本発明は、局側光送受信回路を備えるＯＬＴと加入者側光送受信回路を備えるＯＮＵが光伝送路を介して接続され、前記局側光送受信回路と前記加入者側光送受信回路との間で波長分割多重且つ時分割多重、芯線多重且つ時分割多重、又は波長分割多重、芯線多重且つ時分割多重で光信号を伝搬する光通信システムの光通信方法であって、前記光アクセスネットワークの通信状態を監視し、前記通信状態に応じて前記ＯＮＵに割り振る波長、方路、又は波長と方路の組合せを制御する際に、前記ＯＬＴから前記ＯＮＵへ、前記ＯＬＴから前記ＯＮＵへの下り信号光の宛先ＯＮＵを示す値、又は前記ＯＮＵから前記ＯＬＴへの上り信号光の送信許可を前記ＯＮＵへ通知するメッセージで宛先ＯＮＵを示す値で、信号光の宛先ＯＮＵ及び前記宛先ＯＮＵに対する波長、方路、又は波長と方路の組合せの切替に関する切替指示を通知し、前記ＯＮＵにおいて、前記ＯＬＴから送信された信号光の宛先ＯＮＵを示す値又は前記ＯＮＵから前記ＯＬＴへの上り信号光の送信許可を前記ＯＮＵへ通知するメッセージで宛先ＯＮＵを示す値を確認し、該値が指定する宛先ＯＮＵが自装置である場合に、該値で通知される前記切替指示に従い、波長、方路、又は波長と方路の組合せを切り替えて信号光を送受信することを特徴とする。
【００２０】
本発明に係る光通信方法は、前記切替指示が波長、方路、又は波長と方路の組合せの指定であり、前記ＯＮＵにおいて、現波長、方路、又は波長と方路の組合せから前記切替指示が指定する波長、方路、又は波長と方路の組合せへ直接切り替えることを特徴とする。
【００２１】
本発明に係る光通信方法は、前記切替指示が波長、方路、又は波長と方路の組合せを切り替える命令であり、前記ＯＮＵにおいて、波長、方路、又は波長と方路の組合せを予め設定された順に切り替えることを特徴とする。
【００２２】
ＯＬＴは、単一のＯＮＵに複数のＬＬＩＤを割付け、同一のＯＮＵ宛の信号光で用いるＬＬＩＤを使い分け、選択したＬＬＩＤでの信号光を送信することで使用可能な波長、方路、又は波長と方路の組合せをＯＮＵに通知する。このため、既設ＯＮＵの通信に影響を与えることなく波長又は方路を通知することができる。更に、通知に秒オーダかかる拡張ＯＡＭフレームや拡張ＭＡＣメッセージを用いないため、ＯＬＴは、ＯＮＵに短い間隔で波長切替、方路切替、又はこれらを組み合わせた切替を指示することができる。
【００２３】
従って、本発明は、迅速な波長切替、方路切替、又はこれらを組み合わせた切替の通知ができ、且つ光アクセスネットワークの既設ＯＮＵとの共存が可能な光通信システム、ＯＬＴ、ＯＮＵ、及び光通信方法を提供することができる。
【発明の効果】
【００２４】
本発明は、迅速な波長切替、方路切替、又はこれらを組み合わせた切替の通知ができ、且つ光アクセスネットワークの既設ＯＮＵとの共存が可能なＯＬＴ、ＯＮＵ、光通信システム、及び光通信方法を提供することができる。
【図面の簡単な説明】
【００２５】
【図１】本発明に係る光通信システムを説明するブロック図である。
【図２】本発明に係る光通信システムを説明するブロック図である。
【図３】本発明に係る光通信方法におけるＬＬＩＤの値の実施例である。
【図４】本発明に係る光通信方法におけるＬＬＩＤの値の実施例である。
【図５】本発明に係る光通信方法におけるＬＬＩＤの値の実施例である。
【図６】本発明に係る光通信方法におけるＬＬＩＤの値の実施例である。
【図７】本発明に係る光通信方法におけるＬＬＩＤの値の実施例である。
【図８】本発明に係る光通信方法におけるＬＬＩＤの値の実施例である。
【発明を実施するための形態】
【００２６】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２７】
（実施形態１）
図１は、実施形態１の光通信システム３０１を説明する概念図である。光通信システム３０１は、ＯＮＵ（１００Ａ、１００Ｂ、１００Ｃ）及びＯＬＴ２００及び光伝送路５０である光分配網（ＯＤＮ：Ｏｐｔｉｃａｌ  Ｄｉｓｔｒｉｂｕｔｉｏｎ  Ｎｅｔｗｏｒｋ）を備える。光通信システム３０１は、波長分割多重且つ時分割多重で信号光を伝達する。
【００２８】
ＯＬＴ２００は、光伝送路５０を介して対向して接続される複数のＯＮＵ（１００Ａ、１００Ｂ、１００Ｃ）との間で波長分割多重且つ時分割多重で信号光を送受する局側光送受信回路と、前記局側光送受信回路がＯＮＵ（１００Ａ、１００Ｂ、１００Ｃ）へ送信する信号光のＬＬＩＤ（Ｌｏｇｉｃａｌ  Ｌｉｎｋ  ＩＤｅｎｔｉｆｉｅｒ）によって、信号光の宛先ＯＮＵ及び宛先ＯＮＵに対する波長切替に関する指示を含める制御回路と、を備える。ＯＮＵ（１００Ａ、１００Ｂ、１００Ｃ）は、光伝送路５０を介して対向して接続されるＯＬＴ２００との間で波長分割多重且つ時分割多重で信号光を送受する加入者側光送受信回路を備える。
【００２９】
ＯＬＴ２００は局側光送受信回路の一部として光送信機と光受信機２０を持つ。ＯＮＵ（１００Ａ、１００Ｂ、１００Ｃ）は加入者側光送受信回路の一部としてそれぞれ光送信機（１０Ａ、１０Ｂ、１０Ｃ）と光受信機を持つ。図１を含め、以下の図では、局側光送受信回路の光送信機及び加入者側光送受信回路の光受信機を図示していない。
【００３０】
ＯＮＵ（１００Ａ、１００Ｂ、１００Ｃ）は各加入者宅に設置されており、ＯＮＵの光送信機（１０Ａ、１０Ｂ、１０Ｃ）は割り当てられた波長の信号光を出力し、ＯＮＵの光受信機は割り当てられた波長の信号光を受信する。それぞれ割り当てられた波長は、選択可能な複数の波長のうちの１波長である。
【００３１】
光伝送路５０は、ＯＮＵの光送信機（１０Ａ、１０Ｂ、１０Ｃ）からの信号光を合波して光受信機２０へ結合し、ＯＬＴの光送信機からの信号光を分波してＯＮＵの光受信機へ結合する。ここで、ＯＮＵの光送信機（１０Ａ、１０Ｂ、１０Ｃ）から信号光が同時に同一波長として受信する波長で到着すると受信できなくなるので、制御回路（不図示）は、光送信機ごとの当該波長における伝達時間の差を考慮して同一の波長として受信する信号光同士がＯＬＴの受信機２０で重ならないように送信許可する。送信許可は、各ＯＮＵ側の光受信機で受信中の波長にてＯＬＴから通知される。具体的には、ＯＮＵの光送信機（１０Ａ、１０Ｂ、１０Ｃ）は、２波長（λ１、λ２）に対してそれぞれ時間を違えて互いに時間的に重ならないように時分割多重で信号光を出力する。例えば、制御回路が、ＯＮＵの光送信機（１０Ａ、１０Ｂ、１０Ｃ）に対して、時分割多重で当該光送信機における送出時間を違えて、波長λ１及び波長λ２の帯域を送信許可として割り当ててもよい。
【００３２】
制御回路は、例えば、ＯＮＵの光送信機１０Ａが波長λ１で信号光を送出しており、ＯＬＴの光送信機２０Ａが波長λ１で信号光を送出できないときに、光送信機１０Ａに波長λ２で送信許可する時間が、光送信機（１０Ａ、１０Ｂ、１０Ｃ）の波長切り替えに要する時間を含めて、光送信機（１０Ａ、１０Ｂ、１０Ｃ）の送信許可時間が互いに重ならないように制御する。光送信機１０Ａの波長の切り替えに要する時間には、波長毎の伝達時間の差を含める。即ち、伝達時間が長い波長から短い波長に切り替える場合は、切り替えに要する時間に伝達時間差を加え、逆の場合は減ずる。
【００３３】
ＯＬＴの光受信機２０は、光伝送路５０からの光を波長ごとに分波する光合分波器２５と、光合分波器２５からの分波された信号光をそれぞれ受光して電気信号として出力する複数の受光器（２７、２８）と、を有する。光合分波器２５は、例えば、波長フィルタ等を適用することができる。受光器（２７、２８）は、例えば、フォトダイオードを使用することができる。光合分波器２５は、信号光を波長λ１と波長λ２に分波し、それぞれ受光器（２７、２８）に結合する。受光器（２７、２８）は、それぞれ受光した信号光を電気信号として出力する。このため、光受信機２０は、波長（λ１、λ２）ごとに信号光を受信することができる。
【００３４】
光通信システム３０１が行う光通信方法は、ＯＬＴからＯＮＵへの下り信号光の宛先加入者側装置を示す値、又はＯＮＵからＯＬＴへの上り信号光の送信許可をＯＮＵへ通知するメッセージでＯＮＵを示す値で、ＯＮＵが送受する波長をＯＬＴから指示する。そのような値として、ＩＥＥＥ８０２．３で規定されるＬＬＩＤやＩＴＵ−Ｔ寄書Ｇ．９８３シリーズ及びＧ９８４シリーズで規定されるＴＣＯＮＴなどがある。以下、ＩＥＥＥ８０２．３で規定されるＬＬＩＤに即して説明を加える。
【００３５】
ここで、一般的なＬＬＩＤについて説明する（例えば、非特許文献６を参照。）。
ＰＯＮシステムでは、下り信号光（ＯＬＴ−＞ＯＮＵの信号光）は同一の信号光が分岐して全ＯＮＵに到達する。上り信号光（ＯＮＵ−＞ＯＬＴの信号光）は複数のＯＮＵからの信号光が合波してＯＬＴに到着する。よって、各ＯＮＵは受信した信号光で伝送するフレームが自分宛であるかどうかを判断し、受信フレームの取捨選択を行う必要がある。ＯＬＴは受信した信号光で伝送するフレームがどのＯＮＵからのものか判断する必要がある。ＰＯＮではこの判断をＬＬＩＤという識別子を用いて、送受信の対象となるＯＮＵを示す。なお、一般的なＬＬＩＤの値はＯＮＵ登録時にＯＬＴで決定され、ＯＬＴは自分の配下のＯＮＵでＬＬＩＤの値の重複が起こらないように管理している。
【００３６】
下り通信では、ＯＬＴは送信する信号光のフレームごとにどのＯＮＵに送信するかを明示するために、そのＯＮＵ用のＬＬＩＤの値を信号光で伝送するフレームのプリアンブルに埋め込んでＯＮＵへ送出する。ＯＮＵは受信フレームのＬＬＩＤの値をあらかじめＯＬＴから通知された自分のＬＬＩＤの値と照合し、一致していれば自分宛であると判断して受信フレームを取り込み、そうでなければ、自分宛でないと判断し受信フレームを廃棄する。上り通信（ＯＮＵ−＞ＯＬＴ方向の通信）では、ＯＬＴからのゲートフレームによるＬＬＩＤで宛先を明示した送信許可に従って、ＯＮＵは自分に割り当てられたＬＬＩＤの値をプリアンブルに埋め込んだフレームを伝送する信号光をＯＬＴへ送出する。ＯＬＴでは受信フレームのＬＬＩＤの値により、どのＯＮＵから送信されたフレームであるかを判別することができる。
【００３７】
次に、光通信システム３０１が行う光通信方法について説明する。本光通信方法は、上述のＬＬＩＤを利用する。本光通信方法は、ＯＬＴ２００と複数のＯＮＵ（１００Ａ、１００Ｂ、１００Ｃ）とが光伝送路５０を介して接続される光通信システムにおいて、ＯＬＴ２００が、波長分割多重且つ時分割多重で下り信号光を送信する際の該下り信号光で伝送するフレームのプリアンブルのＬＬＩＤ又は上り信号光の送信許可を通知するゲートメッセージのＬＬＩＤの選択により、下り信号光で伝送するフレーム又はゲートメッセージの宛先ＯＮＵ及び宛先ＯＮＵに対する波長切替に関する指示を通知する。ＯＮＵ（１００Ａ、１００Ｂ、１００Ｃ）は、ＯＬＴ２００から送信された信号光で伝送するフレームのプリアンブルに埋め込まれたＬＬＩＤ又はゲートメッセージ中のＬＬＩＤを確認し、ＬＬＩＤの指定する宛先ＯＮＵが自装置である場合に、ＬＬＩＤの使い分けによる波長切替に関する指示に従う波長で信号光を送受信する。
【００３８】
光通信システム３０１の光通信方法でのＬＬＩＤを用いた波長切替について詳細に説明する。
［ＬＬＩＤと波長又は波長切り替え動作のマッピング］
ＬＬＩＤに含める波長切替に関する指示が波長指定である場合と、現波長からの切替命令である場合がある。
【００３９】
ＬＬＩＤに含める波長切替に関する指示が波長指定である場合、例えば、ＯＮＵ１００ＡにＬＬＩＤ１とＬＬＩＤ２を割付、ＬＬＩＤ１なら波長λ１、ＬＬＩＤ２なら波長λ２とする。例えば、後述する図６のように上り信号光と下り信号光の波長の組が可変である場合、複数のＬＬＩＤで単一の上り波長又は下り波長を指定してもよい。ＬＬＩＤのあるビットの１／０を上り信号光の波長と対応させ、別のビットの１／０を下り信号光の波長と対応させると、上りと下りの波長の組合せ数だけのＬＬＩＤが単一の上り又は下り波長に対応することとなる。
【００４０】
ＬＬＩＤに含める波長切替に関する指示が現波長からの切り替える命令である場合、ＯＮＵ（１００Ａ、１００Ｂ、１００Ｃ）は波長切替指示を意味するＬＬＩＤを受信すると、波長の切り替えを行う。例えば、後述する図７、８のようにＬＬＩＤの値が設定されている場合、例えば、波長がλ１−＞λ２−＞λ１・・・となるように切り替えると予め設定しておき、波長切替指示のＬＬＩＤの受信を契機として使用する波長を切り替える。ＬＬＩＤが波長切替指示である場合は、波長数が多い場合に必要となるＬＬＩＤの数が、ＬＬＩＤが波長指定である場合の数に比べて少なくなる効果がある。
【００４１】
［ＬＬＩＤを用いた通知方法］
光通信システム３０１では、ＬＬＩＤを用いた波長切替に関する指示の通知方法として、下り通信における宛先ＯＮＵを指定するＬＬＩＤを用いる方法と、上り通信の送信許可を与えるゲートメッセージを用いる方法のいずれか一方または両方を用いる。
【００４２】
［上り通信と下り通信の波長］
また、上り信号光の波長と下り信号光の波長の組合せが固定の場合、可変の場合とがある。各場合について以下示す。なお、上り信号光の波長と下り信号光の波長の組合せが固定の場合とは、例えば、上り信号光が波長λＵ１のとき下り波長が波長λＤ１であり、上り信号光が波長λＵ２のとき下り信号光が波長λＤ２である場合である。このとき、上り信号光に波長λＵ１を使用するＯＮＵは、下り波長λＤ１しか受信せず、下り波長λＤ２は受信しない。また、上り信号光の波長と下り信号光の波長の組合せが可変の場合とは、例えば、上り信号光に波長λＵ１又はλＵ２が割り当てられ、下り信号光に波長λＤ１又はλＤ２が割り当てられ、１ＯＮＵが各１波長を選択して使用する場合である。このとき、上り信号光に波長λＵ１を使用するＯＮＵは、下り波長λＤ１か、下り波長λＤ２のいずれかを受信し、上り信号光に波長λＵ２を使用するＯＮＵは、下り波長λＤ１か、下り波長λＤ２のいずれかを受信する。
【００４３】
（実施例１）上り下り波長の組が固定で、プリアンブルのＬＬＩＤで指定する場合
現用の波長と異なる波長の使用の通知を意味するＬＬＩＤを下りのフレームのプリアンブルにて受信すると、ＯＮＵは、所定の時間経過後に送受信する波長を切り替えする。ここで、所定の時間とは、少なくとも、分散等の波長による伝搬遅延時間を考慮した波長の切り替えに要する時間以上であるのが望ましい。
【００４４】
ここで、上り信号光と下り信号光とで波長の切り替えに要する時間が異なる場合、所定の時間は、切り替えに要する時間が長いほうに合わせてもよいし、それぞれの異なる値としても良い。異なる値とした場合、切り替えの経過中に一時的に上り下りの波長の組が固定された組と異なる状態が生ずる。
【００４５】
図３及び図４にＯＮＵ（１００Ａ、１００Ｂ、１００Ｃ）に割り振るＬＬＩＤの例を示す。図３、図４及び以下の図は説明のための例であり、ブロードキャストＬＬＩＤ等の予約済みのＬＬＩＤ等を考慮していない。実際の割当においては、予約済みのＬＬＩＤ等は避ける。図３〜８中の表の中の０／１はＬＬＩＤを構成する各ビットの値であり、表外の等号の右の数字はＬＬＩＤを１０進法で示した値である。
【００４６】
通常、ＬＬＩＤは１６ビットで構成される。１６ビットの一方の端の１ビットをＭＳＢ（Ｍｏｓｔ  Ｓｉｇｎｉｆｉｃａｎｔ  Ｂｉｔ）と呼び、他方の端の１ビットをＬＳＢ（Ｌｅａｓｔ  Ｓｉｇｎｉｆｉｃａｎｔ  Ｂｉｔ）と呼ぶ。ＬＳＢ側のビットを利用して宛先ＯＮＵを指定すると仮定して、図３、図４及び以下の図では、ＭＳＢ側８ビットを示さず、ＬＳＢ側８ビットのみ示している。ＬＳＢ側の８ビットの使用は例であり、実際には都合のよいビットを連続的又は離散的に選択して使用してもよい。
【００４７】
図３は、ＬＬＩＤを複数個ずつまとめて、ＯＮＵ（１００Ａ、１００Ｂ、１００Ｃ）に割り振りした例である。図４は、ＯＮＵ（１００Ａ、１００Ｂ、１００Ｃ）に順にＬＬＩＤを割り振り、ＭＳＢ側１ビットを１とした場合をＬＬＩＤ２としている。図４の指定方法は、既設のＯＮＵで割り振り可能なＬＬＩＤの値が、限定されている場合に有効である。その場合は、既設のＯＮＵで割り振り可能でないＬＬＩＤの値又は選択できないビットの用いるのが望ましい。図４の指定方法は、ビットマップで処理することが可能であるので、特定のビットを検出することで、波長指示を識別できるので高速処理できる効果もある。
【００４８】
なお、ＬＬＩＤ１とＬＬＩＤ２は、それぞれλＵ１とλＵ２に割り振りしてもよく、ＬＬＩＤ１を現在の波長での通信継続とし、ＬＬＩＤ２を通信波長の切り替え通知としてもよい。それぞれ逆でも良い。
【００４９】
（実施例２）上り下り波長の組が固定で、ゲートメッセージで指定する場合
ＯＮＵ（１００Ａ、１００Ｂ、１００Ｃ）は、現用の波長と異なる波長の通知を意味するＬＬＩＤを上り通信の送信許可を通知するゲートメッセージで受信すると、送受信する波長を切り替えする。ここで受信から切り替えまでの時間として、実施例１の説明と同様に、所定の時間としてもよいし、ゲートメッセージ内の通信開始時間としてもよい。後者の場合、通信開始時間は分散等の波長による伝搬遅延時間を考慮した波長の切り替えに要する時間経過以降とするのが、通知した波長と使用する波長の間の不整合が発生する時間が無くなり望ましい。この場合、本例は実施例１と比べて切り替えする時間を明示的に指定できる効果がある。
【００５０】
（実施例３）上り下り波長の組が固定で、プリアンブルとゲートメッセージで指定する場合
本例は実施例１と実施例２の組合せである。例えば、上り波長と下り波長を別々に通知するとして、ＯＬＴは下りフレームのプリアンブル中のＬＬＩＤにより下り波長を通知し、ゲートメッセージで上り波長を通知するとしても良いし、いずれか一方の受信を持って共に切り替えるとしても良い。
【００５１】
（実施例４）上り下り波長の組が可変で、それぞれプリアンブルのＬＬＩＤで指定する場合
本例は、実施例１を拡張したものである。上り又は下りの現用の波長と異なる波長の通知を意味するＬＬＩＤを下りのフレームのプリアンブルにて受信すると、所定の時間経過後に対応する方向の送受信する波長を切り替えする。ここで、所定の時間とは、少なくとも分散等の波長による伝搬遅延時間を考慮した波長の切り替えに要する時間であるのが望ましい。
【００５２】
図５〜８にＯＮＵ（１００Ａ、１００Ｂ、１００Ｃ）に割り振るＬＬＩＤの例を示す。図５は、ＬＬＩＤを複数個ずつ、ＯＮＵ（１００Ａ、１００Ｂ、１００Ｃ）に割り振りし、ＬＬＩＤの値を波長指定とした例である。図６は、ＯＮＵ（１００Ａ、１００Ｂ、１００Ｃ）に順にＬＬＩＤを割り振り、ＭＡＢ側の１ビット目を上り波長、２ビット目を下り波長に割当してＬＬＩＤの値を波長指定とした例である。図６の指定方法は、既設のＯＮＵで割り振り可能なＬＬＩＤの値が、限定されている場合に有効である。また、ビットマップで処理することが可能であるので、特定のビットを検出することで、波長指示を識別できるので高速処理できる効果もある。
【００５３】
図７は、ＬＬＩＤを複数個ずつ、ＯＮＵ（１００Ａ、１００Ｂ、１００Ｃ）に割り振りし、上り下り毎に波長切替指示を設定した例である。この例では、上り又下りのどちらか一方のみ波長切替指示をするとしているため、波長切替なし、上り波長切替、下り波長切替の３つとなっている。上り下り同時に波長切替指示のＬＬＩＤも設定する場合は、図５と同様でよい。図８は、ＯＮＵ（１００Ａ、１００Ｂ、１００Ｃ）に順にＬＬＩＤを割り振り、ＭＡＢ側の１ビット目を上り波長、２ビット目を下り波長に割当してＬＬＩＤの値を波長指定とした例である。この例では、上り又下りのどちらか一方のみ波長切替指示をするとしているため、波長切替なし、上り波長切替、下り波長切替の３つとなっている。上り下り同時に波長切替指示のＬＬＩＤも設定する場合は、図６と同様でよい。
【００５４】
（実施例５）上り下り波長の組が可変で、それぞれゲートメッセージで指定する場合
本例と実施例４の関係は、実施例２と実施例１の関係と同じである。ＯＮＵ（１００Ａ、１００Ｂ、１００Ｃ）は、現用の波長と異なる上り又は下り波長指示を意味するＬＬＩＤを上り通信の送信許可を通知するゲートメッセージで、受信すると、対応する方向の送受信する波長を切り替えする。ここで受信から切り替えまでの時間として、実施例４と同様に、所定の時間としてもよいし、ゲートメッセージ内の通信開始時間としてもよい。後者の場合、通信開始時間は分散等の波長による伝搬遅延時間を考慮した波長の切り替えに要する時間経過以降となる。この場合、本例は実施例１と比べて切り替えする時間を明示的に指定できる効果がある。
【００５５】
（実施例６）上り下り波長の組が可変で、プリアンブルとゲートメッセージで指定する場合
本例は実施例４と実施例５の組合せである。例えば、ＯＬＴは下りフレームのプリアンブル中のＬＬＩＤにより下り波長を通知し、ゲートメッセージで上り波長を通知するとしても良い。また、本例では、上り信号光と下り信号光の波長をそれぞれ別々に指定できるので、図５〜８のＬＬＩＤでなく、図３及び４のＬＬＩＤをそれぞれ用いることができる。このため、上り下りの信号光の波長を別々に割り当てるが、ＬＬＩＤは波長を固定的に割り当てる実施例１から３と同じですむ効果がある。
【００５６】
（他の実施例）
図３から図８の例では、１６ビットのうちＬＳＢ側の８ビットを利用してＯＮＵ及び波長を指定しているが、ＭＳＢ側の８ビットでＯＮＵをＬＳＢ側の８ビットで波長を指定することもできる。また、ＭＳＢとＬＳＢ自体は使わずそれ以外のビットを用いてＯＮＵ及び波長を指定することもできる。
【００５７】
また、本実施形態ではＬＬＩＤで波長切替を通知することとして説明しているが、他のシステムにおいて信号光が帰属するＯＮＵを指定するＴＣＯＮＴ等の値を用いても同様である。
【００５８】
以上説明したように、光通信システム３０１は、単一のＯＮＵに複数のＬＬＩＤを割付け、同一のＯＮＵ宛の信号光で伝送するフレームのプリアンブル又はゲートメッセージで用いるＬＬＩＤを使い分け、その信号光をＯＬＴからＯＮＵへ送信することで使用可能な波長をＯＮＵに通知する。このため、既設ＯＮＵの通信に影響を与えることなく波長を通知することができる。更に、通知に秒オーダかかる拡張ＯＡＭフレームや拡張ＭＡＣメッセージを用いないため、ＯＬＴは、ＯＮＵに短い間隔で波長切替を指示することができる。
【００５９】
なお、光通信システム３０１は、３つの光送信機と２波長で説明したが、光送受信機の数が増減してもよいし、波長分割多重する波長の数も２以上であってよい。また、各光送信機は単一の波長しか同時にしないとしたが、複数の波長を使用するとしてもよい。以上の説明では、光アクセスネットワークをＰＯＮとして説明したが、光スイッチを光スプリッタ５５に代替した光アクセスネットワークでも、波長をＯＮＵで時分割多重により共用しないＷＤＭ−ＰＯＮでも、１対Ｎ接続ではない１対１接続の光通信システムであっても同様の登録解除と登録を行なうことができる。これは以降の実施形態でも同様である。
【００６０】
（実施形態２）
図２は、実施形態２の光通信システム３０２を説明する概念図である。図１の光通信システム３０１と光通信システム３０２とは、光通信システム３０１が光送信機（１０Ａ、１０Ｂ、１０Ｃ）を波長（λ１、λ２）に振り分けて収容することに対して、光通信システム３０２が光送信機（１０Ａ、１０Ｂ、１０Ｃ）を複数の方路に振り分けて収容する点において相違する。すなわち、なお、実施形態２では、すでに実施形態１で説明した部分と同一あるいは略同一である部分の説明を省略する。
【００６１】
ＯＮＵ（１００Ａ、１００Ｂ、１００Ｃ）及びＯＬＴ２００は、図１で説明したＯＮＵ（１００Ａ、１００Ｂ、１００Ｃ）及びＯＬＴ２００について波長を方路に置き換えたものである。
【００６２】
ＯＮＵ（１００Ａ、１００Ｂ、１００Ｃ）は、加入者宅に設置されており、ＯＮＵの光送信機（１０Ａ、１０Ｂ、１０Ｃ）は割り当てられた方路で信号光を出力し、ＯＮＵの光受信機は割り当てられた方路で信号光を受信する。それぞれ割り当てられた方路は、選択可能な方路（Ｈ１、Ｈ２）のうちの１方路である。
【００６３】
光伝送路５１は、ＯＮＵの光送信機（１０Ａ、１０Ｂ、１０Ｃ）からの信号光を方路ごとに合波して光受信機へ結合し、ＯＬＴの光送信機からの信号光を方路毎に分波してＯＮＵの光受信機へ結合する。ここで、ＯＮＵの光送信機（１０Ａ、１０Ｂ、１０Ｃ）から信号光が同時に同一方路で到着すると受信できなくなるので、制御回路（不図示）は、光送信機ごとの当該方路における伝達時間の差を考慮して受信機２０で重ならないように送信許可する。送信許可は、各ＯＮＵ側の光受信機で受信中の方路にてＯＬＴから通知される。具体的には、ＯＮＵの光送信機（１０Ａ、１０Ｂ、１０Ｃ）は、方路（Ｈ１、Ｈ２）に対してそれぞれ時間を違えて互いに時間的に重ならないように時分割多重で信号光を出力する。例えば、制御回路は、ＯＮＵの光送信機（１０Ａ、１０Ｂ、１０Ｃ）に対して、時分割多重で当該光送信機における送出時間を違えて、方路Ｈ１及び方路Ｈ２の帯域を送信許可として割り当ててもよい。
【００６４】
制御回路は、例えば、ＯＮＵの光送信機１０Ａが方路Ｈ１で信号光を送出しており、ＯＬＴの光送信機１０Ａが方路Ｈ１で信号光を送出できないときに、光送信機１０Ａに方路Ｈ２で送信許可する時間が、光送信機１０Ａの方路切り替えに要する時間を含めて、光送信機（１０Ａ、１０Ｂ、１０Ｃ）の送信許可時間が互いに重ならないように制御する。
【００６５】
ＯＬＴの光受信機２０は、光伝送路５１からの光を方路ごとにそれぞれ受光する複数の受光器（２７、２８）を有する。光受信機２０は、方路（Ｈ１、Ｈ２）ごとに信号光を受信する。
【００６６】
光通信システム３０２の光通信方法は、図１の光通信システム３０１の光通信方法の波長λ１及び波長λ２をそれぞれ方路Ｈ１及び方路Ｈ２と置き変えたものである。本光通信方法は、ＯＬＴ２００と複数のＯＮＵ（１００Ａ、１００Ｂ、１００Ｃ）とが光伝送路５１を介して接続される光通信システムにおいて、ＯＬＴ２００が、複数の方路（Ｈ１、Ｈ２）を用いた時分割多重で下り信号光を送信する際の該下り信号光で伝送するフレームのプリアンブルのＬＬＩＤ又は上り信号光の送信許可を通知するゲートメッセージのＬＬＩＤの選択により、下り信号光で伝送するフレーム又はゲートメッセージの宛先ＯＮＵ及び宛先ＯＮＵに対する方路切替に関する指示を通知する。ＯＮＵ（１００Ａ、１００Ｂ、１００Ｃ）は、ＯＬＴ２００から送信された信号光で伝送するフレームのプリアンブルに埋め込まれたＬＬＩＤ又はゲートメッセージ中のＬＬＩＤを確認し、ＬＬＩＤの指定する宛先ＯＮＵが自装置である場合に、ＬＬＩＤの使い分けによる方路切替に関する指示に従う方路で信号光を送受信する。
【００６７】
光通信システム３０２は実施形態１の光通信システム３０１の波長分割多重を芯線多重としたものである。このため、光通信システム３０２の光通信方法でのＬＬＩＤを用いた方路切替は、実施形態１の光通信システム３０１の光通信方法でのＬＬＩＤを用いた波長切替の説明の波長を方路と読み変えることで説明できる。
【００６８】
光通信システム３０２は、単一のＯＮＵに複数のＬＬＩＤを割付け、同一のＯＮＵ宛の信号光で伝送するフレームのプリアンブル又はゲートメッセージで用いるＬＬＩＤを使い分け、選択したＬＬＩＤで信号光をＯＬＴからＯＮＵへ送信することで使用可能な方路をＯＮＵに通知する。このため、既設ＯＮＵの通信に影響を与えることなく方路を通知することができる。更に、通知に秒オーダかかる拡張ＯＡＭフレームや拡張ＭＡＣメッセージを用いないため、ＯＬＴは、ＯＮＵに短い間隔で方路切替を指示することができる。
【００６９】
光通信システム３０２は、３つの光送信機と２つの方路で説明したが、光送信機の数が増減してもよいし、方路の数も２以上であってよい。また単一の方路を用いるとしたが同時に複数の方路を用いるとしてもよい。以上の説明では、光アクセスネットワークをＰＯＮとして説明したが、光スイッチを光スプリッタ５５に代替した光アクセスネットワークでも、波長をＯＮＵで時分割多重により共用しないＷＤＭ−ＰＯＮでも、１対Ｎ接続ではない１対１接続の光通信システムであっても同様の登録解除と登録を行なうことができる。これは以降の実施形態でも同様である。また実施形態１で用いた波長分割多重と実施形態２の芯線多重を組合せ、方路の代わりに、波長と方路の組合せに置き換えてもよい。また、ＬＬＩＤで切替を通知することとして説明しているが、他のシステムにおいて信号光が帰属するＯＮＵを指定するＴＣＯＮＴ等の値を用いてもよい。
【００７０】
（実施形態の変形）
なお、以上説明した実施形態は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。本発明は前記した各実施形態に限定されるものではなく、本発明の目的を達成できる範囲での変形や改良は、本発明に含まれるものである。
【００７１】
例えば、光通信システム（３０１、３０２）は１つの光受信機２０が信号光を受信しているが、光受信機は複数とすることもできる。また、光通信システム（３０１、３０２）は、ＯＮＵが光受信機も備え、ＯＬＴが光送信機も備えており、双方向通信のシステムであってもよい。
【００７２】
さらに、切替対象は、光通信システム３０１では波長、光通信システム３０２では方路であったが、他の分割多重の技術、例えば、光符号、ＯＦＤＭの一つのビン、偏波、位相であってもよい。
【産業上の利用可能性】
【００７３】
本発明は、ＰＯＮ等の受動素子を備える光アクセスネットワークや、光スイッチを備える光アクセスネットワークに適用される光通信システム関連の技術分野に有利に利用することができる。
【符号の説明】
【００７４】
１０Ａ、１０Ｂ、１０Ｃ：光送信機
２０：光受信機
２１：受信回路
２５：光合分波器
２７、２８：受光器
３０：後段の装置
５０、５１：光伝送路
５５：光スプリッタ
Ｈ１、Ｈ２：方路
１００Ａ、１００Ｂ、１００Ｃ：ＯＮＵ
２００：ＯＬＴ
３０１、３０２：光通信システム
【図１】
2011147023.tif 000003
【図２】
2011147023.tif 000004
【図３】
2011147023.tif 000005
【図４】
2011147023.tif 000006
【図５】
2011147023.tif 000007
【図６】
2011147023.tif 000008
【図７】
2011147023.tif 000009
【図８】
2011147023.tif 000010